(57)【要約】    【課題】  大人用から幼児・子供用へまた、その逆に幼児・子供用から大人用へ、工具等の使用を伴うことなしにワンタッチで随時変換し得る大人・子供兼用椅子を提供することを目的とする。【解決手段】  脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設し、大人用座部を持ち上げ、椅子幅方向に垂直な面内で背凭れと座部を一体的に回動させ、大人用背凭れを子供用座部に、大人用座部を子供用背凭れとして位置させた後、前記ロック機構を係合・固定状態とせしめて子供用椅子とし、又は前記ロック機構の係合を解除して前記とは逆の動作によって子供用椅子を大人用椅子とする。【選択図】  図１
2008012001.tif 000002
【特許請求の範囲】
【請求項１】
椅子幅方向に垂直な面内で背凭れと座部を一体的に回動させ、大人用背凭れを子供用座部に、大人用座部を子供用背凭れとして機能せしめるよう構成してなる大人・子供兼用椅子。
【請求項２】
脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設し、大人用座部を持ち上げ、椅子幅方向に垂直な面内で背凭れと座部を一体的に回動させ、大人用背凭れを子供用座部に、大人用座部を子供用背凭れとして位置させた後、前記ロック機構を係合・固定状態とせしめて子供用椅子とし、又は前記ロック機構の係合を解除して前記とは逆の動作によって子供用椅子を大人用椅子とするよう構成してなる大人・子供兼用椅子。
【請求項３】
脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設し一方、前記大人用背凭れとは別体に大人用背凭れ補助部材を支持フレームに固設し、大人用座部を持ち上げ、椅子幅方向に垂直な面内で背凭れと座部を一体的に回動させ、大人用背凭れを子供用座部に、大人用座部を子供用背凭れとして位置させた後、前記ロック機構を係合・固定状態とせしめて子供用椅子としたときに、前記大人用背凭れ補助部材を子供用前ガードとして機能せしめるよう構成してなる大人・子供兼用椅子。
【請求項４】
大人用座部前方脚部を伸縮可能に構成するとともに最大伸長状態で固定するロック機構を内蔵又は併設し、一方、大人用背凭れ背面を大人用座部後方脚部の頭頂部に回動自在に枢支して、大人用座部を上方に持ち上げ、椅子幅方向に垂直な面内で背凭れと座部を一体的に回動させ、大人用背凭れを子供用座部に、大人用座部を子供用背凭れとして位置させたときに前記ロック機構が作動し、座部、背凭れ位置を固定して子供用椅子とし、又は子供用椅子の状態におけるロック機構の係合を解除して逆の動作を行うことによって大人用椅子とするよう構成してなる大人・子供兼用椅子。
【請求項５】
大人用座部前方を支承する大人用前方脚と、大人用背凭れを所定高さ位置でヒンジによって回動自在に支持・固定する大人用後方脚と、前記大人用前方脚および大人用後方脚間下部に架設、固定される支持フレームと、該支持フレームにその下部をヒンジ結合されるとともに前記大人用座部と大人用背凭れの上部においてヒンジ結合されるリンクとを有し、前記大人用座部前方端を持ち上げ、前記大人用背凭れと大人用後方脚頭頂部とのヒンジ結合の軸心を回転中心として椅子幅方向に垂直な面内で前記大人用座部と大人用背凭れとを一体的に回動させ、大人用座部を子供用背凭れに、大人用背凭れを子供用座部として位置せしめて子供用椅子に変換し、またはその逆の動作によって子供用椅子を大人用椅子に変換するよう構成してなる大人・子供兼用椅子。
【請求項６】
脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設しまた、前記大人用背凭れとは別体に大人用背凭れ補助部材を支持フレームに固設しさらに、大人用背凭れ背面と前記大人用背凭れ補助部材間を固定する固定用ねじを螺設し、該固定用ねじをゆるめて係合を解除し大人用座部を持ち上げ椅子幅方向に垂直な面内で背凭れと座部を一体的に回動させ、大人用背凭れを子供用座部に、大人用座部を子供用背凭れとして位置させた後、前記固定用ねじを緊締して子供用前ガードおよび子供用座部を固定するよう構成してなる大人・子供兼用椅子。
【請求項７】
脚を固定している支持フレームに固設されるサイドフレーム内面に、背凭れを嵌合・上下方向スライド自在に嵌装する溝部を前後にそれぞれ少なくとも各１条宛刻設するとともに、子供用座部を載置する、水平方向に延在するリブを設け、前記背凭れを抜き取りもう一方の溝部に嵌入するとともに子供用座部を前記リブ上に載置し、子供用前ガードを前記背凭れの他の溝部に嵌入するよう構成してなる大人・子供兼用椅子。
【請求項８】
背凭れに上下方向にスライド・固定自在に大人用座部を設けるとともに前記座部を面内で内・外部に分割し、内部を子供用座部として適宜位置まで上昇・固定し一方、外部を子供用椅子のテーブルとして適宜位置まで上昇・固定せしめるよう構成してなる大人・子供兼用椅子。
【請求項９】
座部を前後方向において分割するとともに、座部前方部分を後部座部上に載置・固定して子供用座部として機能せしめるよう構成してなる大人・子供兼用椅子。
【請求項１０】
背凭れ下部に幅方向に延在する空隙部を設けるとともに大人用座部を斜め上後方にスライド可能に構成し、大人用座部前方を持ち上げ後方にスライドさせて大人用座部を上昇させつつ前記背凭れ下部に設けた空隙部に大人用座部後方部分を貫通させて高い座面をもつ子供用座部を形成するよう構成してなる大人・子供兼用椅子。
【請求項１１】
座部を前後方向において分割するとともに座部前方部分を天地反転可能に構成し、座部前方部分を持ち上げ天地反転させて座部後方上に載置・固定し子供用座部を形成するよう構成してなる大人・子供兼用椅子。
【発明の詳細な説明】
【技術分野】
【０００１】
本発明は、大人用から子供・幼児用へまた、その逆に子供・幼児用から大人用へ、工具等の使用を伴うことなしにワンタッチで変換できる大人・子供兼用椅子に関する。
【背景技術】
【０００２】
従来、たとえばファミリーレストラン、バイキングレストラン等では、幼児が大人と共にテーブルにつけるようにするため、大人が使用する椅子の座部よりも高い位置に座部を設けた幼児・子供専用の椅子が準備され、店員がそれを運んできて幼児・子供の使用に供していた。その場合、幼児・子供用椅子は専用であるため、それを準備、待機させておくことは、幼児・子供用椅子の稼働率の低さから無駄が多い。また、待機のためのスペースも必要となるのみならず通路に幼児・子供用椅子が置かれる場合が多く、安全面でも問題がある。一方、家庭に目を向けると、核家族のため幼い子供がいる夫婦と祖父母が別居しているのが一般的である。子供を持つ夫婦宅には幼児・子供専用椅子が用意されているのはいうまでもないが、祖父母宅、いわゆる「里帰り先」にも幼児・子供用椅子を準備、保有している場合が多くあり、而して、「里帰り先」においては、幼児・子供用椅子の利用時間は短く無駄が多い。このため、従来から折り畳み式椅子のニーズがあり、それに対応する製品も数多く出されている（たとえば、特許文献１参照）。
【０００３】
そこで、大人・子供兼用椅子が望まれ、たとえば背凭れを前後方向に移動及び固定可能に構成した椅子の背凭れ支持機構が提案されている（たとえば、特許文献２参照）。また、一対のサイドクッションを着脱可能な分割構造とし、前記サイドクッションの幅方向中央の中間段部に係合積載、固定して高い座面を形成し子供・幼児用座部とする自動車用シートも提案されている（たとえば、特許文献３参照）。
【０００４】
さらに、幼児・子供の成長に伴って座部の高さを変更できるとともに、踏み台としても使用できるよう構成した幼児用椅子が知られている（たとえば、特許文献３参照）。また、幼児・子供の成長に伴って座部の高さを簡単に変更・固定できる子供用椅子も提案されている（たとえば、特許文献５参照）。
【０００５】
【特許文献１】特開２０００−１３５１４８号公報
【特許文献２】特開２００１−２９９５００号公報
【特許文献３】特開平０９−２７７８５８号公報
【特許文献４】特開昭６１−１８７８１８号公報
【特許文献５】特開２００４−３３７４０９号公報
【発明の開示】
【発明が解決しようとする課題】
【０００６】
特許文献１（  特開２０００−１３５１４８号公報）に開示の発明によるときは、大人・子供兼用椅子とはならない。また、特許文献２（  特開２００１−２９９５００号公報）に開示の発明による場合、背凭れを座部の前後方向にシフトできるから、膝から背までの水平方向寸法は調節可能で大人・子供兼用ができるけれども、幼児が大人と共にテーブルにつけるようにすべく、座部の高さを調節して大人・子供兼用をすることは不可能である。
【０００７】
また、特許文献３（特開平０９−２７７８５８号公報）に開示の発明によるときは、自動車用シートの高さを幼児・子供に適する高さに１種類の寸法で変化させ得るけれども、椅子構造とは根本的に相違し、幼児が大人と共にテーブルにつけるようにすべく、十分な座部の高さを確保し難いのみならず、ワンタッチで変換できる構造ではない。
【０００８】
さらに、特許文献４（特開昭６１−１８７８１８号公報）に開示の発明による場合、椅子が複雑かつ大掛かりとなるほかボルトの着脱が多岐に亘って時間を要し、その場で大人用・幼児・子供用の可逆変換をワンタッチで行うことができない。
【０００９】
特許文献５（特開２００４−３３７４０９号公報）に開示の発明によるときは、六角レンチ、ドライバー等の特殊工具を必要とするほか中腰で屈んだ姿勢をとって座部の変更を行う必要があるのみならず、瞬時に（ワンタッチで）大人用・幼児・子供用の可逆変換できない問題がある。
【００１０】
本発明は、大人用から幼児・子供用へまた、その逆に幼児・子供用から大人用へ、工具等の使用を伴うことなしにワンタッチで随時変換し得る大人・子供兼用椅子を提供することを目的とする。
【課題を解決するための手段】
【００１１】
上記課題を解決するための請求項１に記載の発明は、椅子幅方向に垂直な面内で背凭れと座部を一体的に回動させ、大人用背凭れを子供用座部に、大人用座部を子供用背凭れとして機能せしめるよう構成してなる大人・子供兼用椅子である。この基本構成によって、ワンタッチで大人用から子供用へまた、その逆の変換を行い得る。
【００１２】
請求項２に記載の発明は、脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設し、大人用座部を持ち上げ、椅子幅方向に垂直な面内で背凭れと座部を一体的に回動させ、大人用背凭れを子供用座部に、大人用座部を子供用背凭れとして位置させた後、前記ロック機構を係合・固定状態とせしめて子供用椅子とし、又は前記ロック機構の係合を解除して前記とは逆の動作によって子供用椅子を大人用椅子とするよう構成してなる大人・子供兼用椅子である。
【００１３】
請求項３に記載の発明は、脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設し一方、前記大人用背凭れとは別体に大人用背凭れ補助部材を支持フレームに固設し、大人用座部を持ち上げ、椅子幅方向に垂直な面内で背凭れと座部を一体的に回動させ、大人用背凭れを子供用座部に、大人用座部を子供用背凭れとして位置させた後、前記ロック機構を係合・固定状態とせしめて子供用椅子としたときに、前記大人用背凭れ補助部材を子供用前ガードとして機能せしめるよう構成してなる大人・子供兼用椅子である。この構成によって、大人用背凭れ補助部材を子供用椅子における前ガードとして機能させ得る。
【００１４】
請求項４に記載の発明は、大人用座部前方脚部を伸縮可能に構成するとともに最大伸長状態で固定するロック機構を内蔵又は併設し、一方、大人用背凭れ背面を大人用座部後方脚部の頭頂部に回動自在に枢支して、前記ロック機構を解除し大人用座部を上方に持ち上げ、椅子幅方向に垂直な面内で背凭れと座部を一体的に回動させ、大人用背凭れを子供用座部に、大人用座部を子供用背凭れとして位置させたときに前記ロック機構が作動し、座部、背凭れ位置を固定して子供用椅子とし、又は子供用椅子の状態におけるロック機構の係合を解除して逆の動作を行うことによって大人用椅子とするよう構成してなる大人・子供兼用椅子である。
【００１５】
請求項５に記載の発明は、大人用座部前方を支承する大人用前方脚と、大人用背凭れを所定高さ位置でヒンジによって回動自在に支持・固定する大人用後方脚と、前記大人用前方脚および大人用後方脚間下部に架設、固定される支持フレームと、該支持フレームにその下部をヒンジ結合されるとともに前記大人用座部と大人用背凭れの上部においてヒンジ結合されるリンクとを有し、前記大人用座部前方端を持ち上げ、前記大人用背凭れと大人用後方脚頭頂部とのヒンジ結合の軸心を回転中心として椅子幅方向に垂直な面内で前記大人用座部と大人用背凭れとを一体的に回動させ、大人用座部を子供用背凭れに、大人用背凭れを子供用座部として位置せしめて子供用椅子に変換し、またはその逆の動作によって子供用椅子を大人用椅子に変換するよう構成してなる大人・子供兼用椅子である。
【００１６】
請求項６に記載の発明は、脚を固定している支持フレームに固設されるサイドフレームに、椅子幅方向に垂直な面内で大人用背凭れを回動・固定自在に枢支する軸支部を設けるとともに、大人用座部下面と前記支持フレーム間にロック機構を配設しまた、前記大人用背凭れとは別体に大人用背凭れ補助部材を支持フレームに固設しさらに、大人用背凭れ背面と前記大人用背凭れ補助部材間を固定する固定用ねじを螺設し、該固定用ねじをゆるめて係合を解除し大人用座部を持ち上げ椅子幅方向に垂直な面内で背凭れと座部を一体的に回動させ、大人用背凭れを子供用座部に、大人用座部を子供用背凭れとして位置させた後、前記固定用ねじを緊締して子供用前ガードおよび子供用座部を固定するよう構成してなる大人・子供兼用椅子である。
【００１７】
請求項７に記載の発明は、脚を固定している支持フレームに固設されるサイドフレーム内面に、背凭れを嵌合・上下方向スライド自在に嵌装する溝部を前後にそれぞれ少なくとも各１条宛刻設するとともに、子供用座部を載置する、水平方向に延在するリブを設け、前記背凭れを抜き取りもう一方の溝部に嵌入するとともに子供用座部を前記リブ上に載置し、子供用前ガードを前記背凭れの他の溝部に嵌入するよう構成してなる大人・子供兼用椅子である。
【００１８】
請求項８に記載の発明は、背凭れに上下方向にスライド・固定自在に大人用座部を設けるとともに前記座部を面内で内・外部に分割し、内部を子供用座部として適宜位置まで上昇・固定し一方、外部を子供用椅子のテーブルとして適宜位置まで上昇・固定せしめるよう構成してなる大人・子供兼用椅子である。
【００１９】
請求項９に記載の発明は、座部を前後方向において分割するとともに、座部前方部分を後部座部上に載置・固定して子供用座部として機能せしめるよう構成してなる大人・子供兼用椅子である。
【００２０】
請求項１０に記載の発明は、背凭れ下部に幅方向に延在する空隙部を設け、座部を斜め上後方にスライド可能に構成し、大人用座部前方を持ち上げ後方にスライドさせて大人用座部を上昇させつつ前記背凭れ下部に設けた空隙部に大人用座部後方部分を貫通させて高い座面をもつ子供用座部を形成するよう構成してなる大人・子供兼用椅子である。
【００２１】
請求項１１に記載の発明は、座部を前後方向において分割するとともに座部前方部分を天地反転可能に構成し、座部前方部分を持ち上げ天地反転させて座部後方上に載置・固定し子供用座部を形成するよう構成してなる大人・子供兼用椅子である。
【発明の効果】
【００２２】
本発明によれば、大人用座部を持ち上げて、椅子幅方向に垂直な面内で、サイドフレームに固設されている軸支部の軸心回りに大人用座部および背凭れを一体的に９０°前後回動させて、大人用座部を子供用背凭れに、大人用背凭れを子供用座部として位置せしめるだけで大人用椅子から幼児・子供用椅子へ変換できる。また、幼児・子供用椅子から大人用椅子に変換するときは、子供用椅子のときの背凭れの背面（大人用椅子のときの座部下面）に装着されているロック機構を解除して（手で係止金具を外すことで、ワンタッチで外れる）子供用背凭れと座部を一体的に逆方向に回動させることで、瞬時に幼児・子供用椅子から大人用椅子に変換できる。
【００２３】
請求項３および請求項６に記載の発明によるときは、大人用背凭れ補助部材を幼児・子供用椅子のときの前ガードとして利用でき、安全面で効果を奏する。
【００２４】
請求項４に記載の発明によれば、大人用座部前方脚を伸縮自在に構成するとともにロック機構を内蔵或いは併設する構造であるから、軸支部を要することなしに、椅子幅方向に垂直な面内で座部および背凭れを一体的に回動させ得、構造をシンプルなものとすることができる。
【００２５】
請求項５に記載の発明によるときは、リンク機構および係止爪と係止爪受けからなる簡潔な構成で大人用・子供用椅子の可逆変換が可能となる。
【００２６】
請求項７に記載の発明によれば、パーツの抜き差し変更のみで大人用・子供用椅子の可逆変換が可能となる。
【００２７】
請求項８に記載の発明によるときは、シンプルな構造で大人用椅子からテーブル付きの幼児・子供用椅子に変換できる大人・子供兼用椅子とすることができる。
【００２８】
請求項９乃至請求項１１に記載の発明によれば、大人用・子供用変換に際して椅子を回転させる必要がなく、そのままの方向で用途変換ができ、特に狭小なスペースでの利用に便利である。また、請求項９および請求項１０に記載の発明によるときは、シンプルな構造で座面高さの変更を行い得る。わけても、請求項１０に記載の発明によれば、座面が分割されず分割する場合に比し大人用椅子としての座り心地が犠牲にならない。
【００２９】
請求項１１に記載の発明によるときは、シンプルな構造で大人用・子供用椅子の可逆変換が可能となる。
【発明を実施するための最良の形態】
【００３０】
本発明の大人・子供兼用椅子は、椅子幅方向に垂直な面内で背凭れと座部を一体的に回動させ、大人用座部を子供用背凭れに、大人用背凭れを子供用座部として機能せしめて大人用椅子から幼児・子供用椅子としまた、幼児・子供用椅子から大人用椅子へ可逆的に、工具等の使用を伴うことなしにワンタッチで変換できる構造が基本である。以下、その好ましい実施例に則して本発明を説明する。
【実施例１】
【００３１】
図１乃至図３に、本発明の一実施例に係る大人・子供兼用椅子の、大人用椅子から幼児・子供用椅子への変換過程を示す。図３は、図１に示す大人用椅子から子供用椅子への変換過程を視点を変えて見たときの斜視図である。図１乃至図３において、１は大人用座部（子供用背凭れ）、２は大人用背凭れ（子供用座部）である。３はサイドフレームであって、脚７を固設している支持フレーム６の、幅方向両側に固設されている。この実施例においては、サイドフレーム３は支持フレーム６と一体に形成されている。
【００３２】
４は軸支部であり、大人用背凭れ２を大人用座部１と一体的に回動すべく、大人用背凭れ２を回動自在に支承する。軸支部４のサイドフレーム３における配設位置は、図１乃至図３に示すように、大人用背凭れ２を回動させて子供用座部としたときに、子供用として適切な座部高さとなる部位とされる。また、成長過程に対応して、子供用座部高さを漸次低くすべく、軸支部４をサイドフレーム３の鉛直方向における適切箇所に複数箇配設し、大人用背凭れ２の軸支位置を変更するようにすることもできる。
【００３３】
５はロック機構であって、この実施例においては、図２に示すように、つかえ棒タイプのロック機構である。図２に示すように、大人用座部１を持ち上げて椅子幅方向に垂直な面内で大人用座部１と大人用背凭れ２を一体的に、軸支部４の軸心を回転中心として回転させるときに、ロック機構５は、図２（ｂ）、（ｃ）に示すように、屈曲した状態から図２（ｃ）、（ｄ）に示すように伸長して行き、大人用座部１と大人用背凭れ２の一体的回動がフルになった位置で図２（ｅ）に示すように伸びきり、その状態でロックが掛り係合・固定状態となる。
【００３４】
図１（ｅ）乃至図３（ｅ）に示す幼児・子供用椅子の状態から大人用椅子に変換するときには、ロック機構５上部の係止金具を手で外し、子供用背凭れ（大人用座部１）を、図１でみて反時計方向に子供用座部（大人用背凭れ２）と一体的に回動させると、ロック機構５は屈曲して行き、最終的に図１（ａ）、（ｂ）および図２（ｂ）、図３（ｂ）に示す状態となり、大人用椅子となる。
【実施例２】
【００３５】
この実施例においては、図１に示す構成に大人用背凭れ補助部材を付加している。その模様を、図４乃至図６に示す。図４乃至図６において、図１乃至図３におけると同一の構成要素には同一の符号を付している。図４および図６は、大人用座部１と大人用背凭れ２が椅子幅方向に垂直な面内で一体的に回動するときの模様を、大人用椅子の場合の背面（子供用椅子となったときの前面）からみたときの過程を示す図である。図５は、ロック機構５の動作が分かるように、大人用椅子の場合の前面（子供用椅子となったときの背面）からみたときの過程を示す図である。
【００３６】
図４乃至図６において、８は大人用背凭れ補助部材（子供用前ガード）である。この大人用背凭れ補助部材８は、図４（ａ）に示すように、大人が着座したときの背面を支承する。この大人用背凭れ補助部材８は、実施例１におけると同様にして大人用座部１を持ち上げて椅子幅方向に垂直な面内で背凭れと座部を一体的に回動させて幼児・子供用椅子としたときに、図４（ｆ）に示すように、幼児・子供用椅子における前ガードとして機能する。
【実施例３】
【００３７】
図７および図８に示すこの実施例においては、サイドフレームや軸支部を含まない。図７および図８において、１１は大人用座部（子供用背凭れ）、１２は大人用背凭れ（子供用座部）である。１６は支持フレームであり、アーチ状を呈し大人用前方脚１７１および後方脚１７２をヒンジ結合によって支持している。大人用前方脚１７１頭頂部と大人用座部（子供用背凭れ）１１下面間および後方脚１７２頭頂部と大人用背凭れ（子供用座部）１２背面間は、何れもヒンジ結合となっている。１８は子供用足置き台である。
【００３８】
大人用前方脚１７１はテレスコーピック構造となっており、伸縮自在である。そして、大人用前方脚１７１にはロック機構が併設されており、図７（ａ）〜（ｄ）および図８（ａ）〜（ｄ）に示すように、大人用座部（子供用背凭れ）１１および大人用背凭れ（子供用座部）１２が一体的に回動して行き、大人用座部１１前方脚１７１が図７（ｄ）および図８（ｄ）に示すように、伸長しきったところでロック機構が作動し、大人用座部１１が子供用背凭れとしてまた、大人用背凭れ１２が子供用座部として固定される。
【００３９】
この実施例において、大人用座部１１および大人用背凭れ１２の、椅子幅方向に垂直な面内での一体的な回動は、大人用背凭れ１２背面と大人用後方脚１７２頭頂部間のヒンジ結合における軸心を回転中心としてなされる。而して、大人用後方脚１７２のヒンジ結合部の高さが子供用座部の高さを決定する。
【００４０】
幼児・子供用椅子から大人用椅子に変換するときには、幼児・子供用椅子の背凭れ背面の大人用座部１１前方脚１７１のロック機構を解除し（係合金具を外し）て大人用座部（子供用背凭れ）１１および大人用背凭れ（子供用座部）１２を一体的に、図７および図８でみて反時計方向に回動させると大人用座部１１前方脚１７１は短縮して行き、最終的に図７（ａ）および図８（ａ）に示す大人用椅子となる。
【実施例４】
【００４１】
図９に示すこの実施例は、実施例２におけるロック機構５に代えて、固定用ねじ２９で大人用背凭れ（子供用座部）を固定し或いは、解除するようにしたものである。図９（ａ）〜（ｆ）に示すように、大人用背凭れ補助部材２８（子供用前ガード）の支柱幅方向中央部には長孔１８１が穿設されており、一方、大人用背凭れ（子供用座部）２２の背面幅方向中央部に、水平方向かつ幅方向に軸心をもつ蝶番（図示せず）が固設されており、その一片に設けられているナット部に固定用ねじ２９が螺合し、固定用ねじ２９の緊締によって大人用背凭れ２２が固定される。
【００４２】
大人用椅子から幼児・子供用椅子に変換するときには、固定用ねじ２９を弛めて取り外し、図９（ｃ）、（ｄ）に示すように、大人用座部１１を持ち上げ椅子幅方向に垂直な面内で大人用座部２１と大人用背凭れ２２を一体的にサイドフレーム３における軸支部４の軸心回りに回動させる。図９（ｅ）に示す状態となったときに、固定用ねじ２９を大人用背凭れ補助部材２８の長孔１８１を介して大人用背凭れ（子供用座部）２２に固設されている蝶番の一片に固設されているナットに螺合させ緊締する。上記一連の動作によって、大人用椅子は幼児・子供用椅子に変換される。幼児・子供用椅子から大人用椅子に変換するときには、上記と逆の動作を行う。
【実施例５】
【００４３】
図１０、図１１、および図１２に示すこの実施例は、実施例１におけるようなロック機構５に代えて、リンク機構および係止爪と係止爪受けからなる係止手段からなる簡潔な構成の大人・子供兼用椅子である。図１０（ａ）〜（ｅ）は、大人用椅子から子供用椅子に変換するときの過程を、椅子幅方向左斜め前方（子供用椅子における椅子幅方向右斜め後方）からの斜視図、図１１（ａ）〜（ｅ）は、大人用椅子から子供用椅子に変換するときの過程を、椅子幅方向左斜め後方（子供用椅子における椅子幅方向右斜め前方）からの斜視図、図１２（ａ）〜（ｅ）は、大人用椅子から子供用椅子に変換するときの過程を示す側面図である。
【００４４】
図１０、図１１、および図１２において、３１は大人用座部、３２は大人用背凭れ、３４は子供用足置き台である。３５はリンクであって、図１０、図１１、および図１２に示すように、その頭頂部において、大人用座部３１および大人用背凭れ３２の屈曲部とヒンジｈによって回動自在に結合されている。リンク３５の下端は、図１０、図１１、および図１２に示すように、大人用椅子のときの前方脚３７と後方脚３７１間に架設・固定されている支持フレーム３６にヒンジｈによって回動自在に結合されている。
【００４５】
リンク３５には、図１０、図１１、および図１２に示すように、係止爪３５１がヒンジｈによって回動自在に結合されている。一方、大人用椅子のときの前方脚３７対上部に横架されているフレームの、椅子幅方向中央部には係止爪受け３５２が固設されており、図１２（ｅ）に示す状態で係止爪３５１が係止爪受け３５２に係合・固定される。
【００４６】
而して、図１０、図１１、および図１２における（ｂ）〜（ｅ）に示すように、大人用座部３１の前方を持ち上げ、大人用座部３１と大人用背凭れ３２を一体的に、図１０、図１１、および図１２でみて時計方向（椅子幅方向に垂直な面内で）に、大人用後方脚３７１頭頂部におけるヒンジ結合の軸心を回転中心として回動させると、大人用座部３１が子供用背凭れとして、大人用背凭れ３２が子供用座部として位置せしめられる。その際、リンク３５は、支持フレーム３６におけるヒンジ結合部を回転中心として、図１０、図１１、および図１２でみて反時計方向に揺動し、（ｅ）の状態で係止爪３５１が係止爪受け３５２に係合し、子供用椅子として固定される。なお、後方脚３７１と支持フレーム３６の間もヒンジ結合されている。
【００４７】
子供用椅子から大人用椅子に変換するには、図１０、図１１、および図１２に示す（ｅ）の状態において、係止爪３５１と係止爪受け３５２の係合を外し、図１０、図１１、および図１２でみて反時計方向に子供用背凭れ（大人用座部３１）と子供用座部（大人用背凭れ３２）を一体的に回動させると図１０、図１１、および図１２における（ａ）の状態となり、大人用椅子となる。而して、大人用後方脚３７１のヒンジ結合部の高さが子供用座部の高さを決定する。
【実施例６】
【００４８】
図１３および図１４に、本発明の他の実施例を示す。図１３は大人用椅子における左斜め前方（子供用椅子における右斜め後方）からの斜視図、図１４は大人用椅子における左斜め後方（子供用椅子における右斜め前方）からの斜視図である。この実施例に係る大人・子供兼用椅子は、椅子の幅方向に垂直な面内で大人用座部が大人用背凭れと一体的に回動する方式ではない。図１３および図１４において、４１は大人用座部、４２は背凭れである。４３はサイドフレームであって、支持フレーム４６に一体的に形成されている。サイドフレーム４３内面前後方には、背凭れ４２差し込み用溝４３１が上下方向に刻設されている。また、サイドフレーム４３内面には、水平かつ前後方向に延在するリブ４３２が設けられている。
【００４９】
４１８は子供用足置き台であって、図１４（ａ）、（ｂ）に示す状態で、下方において脚４７に枢支され、上方で係止されている。子供用足置き台４１８の上方係合を外して図１２でみて時計方向に揺動させると、図１４（ａ）、（ｂ）に示す内面が図１４（ｅ）、（ｆ）における上面となって脚４７に支持される。
【００５０】
図１３および図１４（ａ）、（ｂ）に示す大人用椅子から図１３および図１４（ｆ）、（ｇ）に示す子供用椅子とするには、  図１３（ｂ）および図１４（ｂ）に示すように、背凭れ４２をサイドフレーム４３から引き抜き、大人用椅子の座部４１前方の溝４３１に嵌入し差し込む。然る後、サイドフレーム４３内面に設けられているリブ４３２上に、子供用座部４１１を載置する。
【００５１】
その後、図１３（ｅ）および図１４（ｅ）に示すように、前ガード４８をサイドフレーム４３内面上下方向に刻設されているもう一方の差し込み用溝４３１に嵌入し固定する。一方、子供用足置き台４１８を図１４（ｃ）でみて時計方向に倒し、図１４（ｄ）に示す状態とする。これらの動作によって、図１３（ａ）、（ｂ）および図１４（ａ）、（ｂ）に示す大人用椅子から図１３（ｆ）、（ｇ）および図１４（ｆ）、（ｇ）に示す子供用椅子に変換される。子供用椅子から大人用椅子に変換するときは、上記とは逆の動作を行う。
【実施例７】
【００５２】
図１５および図１６に、本発明の他の実施例を示す。図１５および図１６において、５１は大人用座部、５２は背凭れである。５１１は大人用座部内側部分（子供用座部）、５１２は大人用座部外側部分（子供用テーブル）であり、これら大人用座部内側部分５１１および大人用座部外側部分５１２は座部補助板５１３によって一体に結合されている。５３はベース、５４は子供用足置き台である。
【００５３】
図１５（ａ）およびに図１６（ａ）に示す大人用椅子の状態から図１５（ｆ）および図１５（ｇ）ならびに図１６（ｆ）および図１６（ｇ）に示す幼児・子供用椅子に変換するには、大人用座部５１における座部補助板５１３を外して大人用座部５１の内側部分５１１（子供用座部）および大人用座部外側部分５１２（子供用テーブル）に分割可能状態とする。
【００５４】
図１５および図１６（ｂ）に示すように、大人用座部外側部分５１２（子供用テーブル）を背凭れ５２に沿って所望位置までスライド・上昇させて固定する。次いで、大人用座部５１の内側部分５１１（子供用座部）を背凭れ５２に沿って所望位置までスライド・上昇させて固定する。こうして、大人用椅子から図１５（ｆ）、（ｇ）および図１６（ｆ）、（ｇ）に示す幼児・子供用椅子に変換される。幼児・子供用椅子から大人用椅子に変換するときは、上記とは逆の動作を行う。
【実施例８】
【００５５】
図１７に、本発明の他の実施例を示す。図１７において、６１は大人用座部、６２は背凭れである。大人用座部６１は、後方部分６１１と着脱自在な前方部分６１２に分割可能に構成されている。６４は子供用足置き台、６７は脚である。
【００５６】
図１７（ａ）、（ｂ）に示す大人用椅子の状態から図１７（ｈ）、（ｉ）に示す幼児・子供用椅子に変換するには、大人用座部５１の前方部分６１２の係合を外して取り外し、後方部分６１１の上部に載置・固定し子供用座部を形成する。大人用座部６１の前方部分６１２を取り外すと、その下部に子供用足置き台６４が現れる。
【００５７】
図１７（ｈ）、（ｉ）に示す幼児・子供用椅子から大人用椅子に変換するときは、子供用座面（大人用座部６１の前方部分６１２）を外して、大人用座部後方部分６１１に係合・固定して図１７（ａ）、（ｂ）に示す状態とする。
【実施例９】
【００５８】
図１８、図１９、および図２０に、本発明の他の実施例を示す。図１８、図１９、および図２０において、７１は大人用座部、７２は背凭れである。７２１は背凭れ下方空隙部である。大人用座部７１は、支持フレーム７６に固定されており、係合を外して図１８、図１９における（ｃ）に示すように、大人用座部７１の前方を持って斜め後方に持ち上げると、リンク機構によって大人用座部７１の後部が背凭れ下方空隙部７２１に貫通するとともに座面が上昇する。これによって、図１８（ｅ）、図１９（ｅ）および図２０（ｅ１）、（ｅ２）に示す子供用椅子となる。幼児・子供用椅子から大人用椅子に変換するときは、上記とは逆の動作を行う。
【実施例１０】
【００５９】
図２１に、本発明の他の実施例を示す。図２１において、８１は大人用座部、８２は背凭れである。大人用座部８１は前方部分８１２および後方部分８１１に分割されており、両者は衝合部においてヒンジ結合されている。８４は子供用足置き台、８７は脚である。
【００６０】
この実施例において、大人用椅子から幼児・子供用椅子に変換するには、大人用座部８１の前方部分８１２を持ち上げてヒンジ結合の軸心回りに１８０°回転させて前方部分８１２を天地反転させて大人用座部８１の後方部分８１１上に載置、固定する。こうして図２１（ｆ）に示す子供用椅子となる。幼児・子供用椅子から大人用椅子に変換するときは、上記とは逆の動作を行う。
【図面の簡単な説明】
【００６１】
【図１】本発明の一実施例に係わる大人・子供兼用椅子の動作過程を示す斜視図  （ａ）〜（ｆ）は大人用椅子から子供用椅子への変換過程を示す斜視図である。
【図２】図１に示す実施例におけるロック機構の動作過程を示す斜視図  （ａ）〜（ｅ）は大人用椅子から子供用椅子への変換過程におけるロック機構の動作を示す斜視図である。
【図３】図１に示す大人用椅子から子供用椅子への変換過程を他の視点から見た斜視図  （ｂ）〜（ｅ）は大人用椅子から子供用椅子への変換過程を示す斜視図である。
【図４】本発明の他の実施例に係わる大人・子供兼用椅子の動作過程を示す斜視図  （ａ）〜（ｆ）は大人用椅子から子供用椅子への変換過程を示す斜視図である。
【図５】図４に示す実施例におけるロック機構の動作過程を示す斜視図  （ａ）〜（ｅ）は大人用椅子から子供用椅子への変換過程におけるロック機構の動作を示す斜視図である。
【図６】図４に示す実施例における大人・子供兼用椅子の動作過程を他の角度から見たときの斜視図    （ｂ）〜（ｅ）は大人用椅子から子供用椅子への変換過程を示す斜視図である。
【図７】本発明の他の実施例に係わる大人・子供兼用椅子の動作過程を示す斜視図  （ａ）〜（ｄ）は大人用椅子から子供用椅子への変換過程を示す斜視図である。
【図８】図７に示す実施例における大人・子供兼用椅子の動作過程を他の角度から見たときの斜視図    （ａ）〜（ｄ）は大人用椅子から子供用椅子への変換過程を示す斜視図である。
【図９】本発明の他の実施例に係わる大人・子供兼用椅子の動作過程を示す斜視図  （ａ）〜（ｆ）は大人用椅子から子供用椅子への変換過程を示す斜視図である。
【図１０】本発明の他の実施例に係わる大人・子供兼用椅子の動作過程を示す斜視図  （ａ）〜（ｅ）は大人用椅子から子供用椅子への変換過程を示す斜視図である。
【図１１】図１０に示す実施例における大人・子供兼用椅子の動作過程を他の角度から見たときの斜視図    （ａ）〜（ｅ）は大人用椅子から子供用椅子への変換過程を示す斜視図である。
【図１２】図１０に示す実施例における大人・子供兼用椅子の動作過程を示す側面図    （ａ）〜（ｅ）は大人用椅子から子供用椅子への変換過程を示す側面図である。
【図１３】本発明の他の実施例に係わる大人・子供兼用椅子の動作過程を示す斜視図  （ａ）〜（ｇ）は大人用椅子から子供用椅子への変換過程を示す斜視図である。
【図１４】図１３に示す実施例における大人・子供兼用椅子の動作過程を他の角度から見たときの斜視図    （ａ）〜（ｇ）は大人用椅子から子供用椅子への変換過程を示す斜視図である。
【図１５】本発明の他の実施例に係わる大人・子供兼用椅子の動作過程を示す斜視図  （ａ）〜（ｇ）は大人用椅子から子供用椅子への変換過程を示す斜視図である。
【図１６】図１５に示す実施例における大人・子供兼用椅子の動作過程を他の角度から見たときの斜視図    （ａ）〜（ｇ）は大人用椅子から子供用椅子への変換過程を示す斜視図である。
【図１７】本発明の他の実施例に係わる大人・子供兼用椅子の動作過程を示す斜視図  （ａ）〜（ｉ）は大人用椅子から子供用椅子への変換過程を示す斜視図である。
【図１８】本発明の他の実施例に係わる大人・子供兼用椅子の動作過程を示す斜視図  （ｂ）〜（ｅ）は大人用椅子から子供用椅子への変換過程を示す斜視図である。
【図１９】図１８に示す実施例における大人・子供兼用椅子の動作過程を他の角度から見たときの斜視図    （ａ）〜（ｅ）は大人用椅子から子供用椅子への変換過程を示す斜視図である。
【図２０】図１８に示す実施例における大人・子供兼用椅子の動作過程を他の角度から見たときの斜視図    （ｅ１）〜（ｅ２）は子供用椅子のときの状態を示す斜視図である。
【図２１】本発明の他の実施例に係わる大人・子供兼用椅子の動作過程を示す斜視図  （ａ）〜（ｆ）は大人用椅子から子供用椅子への変換過程を示す斜視図である。
【符号の説明】
【００６２】
１  大人用座部（子供用背凭れ）
２  大人用背凭れ（子供用座部）
３  サイドフレーム
４  軸支部
５  ロック機構
６  支持フレーム
７  脚
８  大人用背凭れ補助部材（子供用前ガード）
１１  大人用座部（子供用背凭れ）
１２  大人用背凭れ（子供用座部）
１６  支持フレーム
１７１  大人用前方脚
１７２  大人用後方脚
１８  子供用足置き台
２８  大人用背凭れ補助部材（子供用前ガード）
２９  固定用ねじ
１８１  長孔
３１  大人用座部
３２  背凭れ
３４  子供用足置き台
３５  リンク
３５１  係止爪
３５２  係止爪受け
３６  支持フレーム
３７  大人用前方脚
３７１  大人用後方脚
ｈ  ヒンジ
４１  大人用座部
４１１  子供用座部
４１８  子供用足置き台
４２  背凭れ
４３  サイドフレーム
４３１  差し込み用溝
４３２  リブ
４６  支持フレーム
４７  脚
４８  前ガード
５１  大人用座部
５１１  大人用座部内側（子供用座部）
５１２  大人用座部外側（子供用テーブル）
５１３  大人用座部補助板
５２  背凭れ
５３  ベース
５４  子供用足置き台
６１  大人用座部
６２  背凭れ
６１１  大人用座部後方部分
６１２  大人用座部前方部分（子供用座面）
６４  子供用足置き台
６７  脚
７１  大人用座部
７２  背凭れ
７２１  背凭れ下方空隙部
７４  子供用足置き台
７６  支持フレーム
７７  脚
８１  大人用座部
８１１  大人用座部後方部分
８１２  大人用座部前方部分
８２  背凭れ
８４  子供用足置き台
８７  脚
【図１】
2008012001.tif 000003
【図２】
2008012001.tif 000004
【図３】
2008012001.tif 000005
【図４】
2008012001.tif 000006
【図５】
2008012001.tif 000007
【図６】
2008012001.tif 000008
【図７】
2008012001.tif 000009
【図８】
2008012001.tif 000010
【図９】
2008012001.tif 000011
【図１０】
2008012001.tif 000012
【図１１】
2008012001.tif 000013
【図１２】
2008012001.tif 000014
【図１３】
2008012001.tif 000015
【図１４】
2008012001.tif 000016
【図１５】
2008012001.tif 000017
【図１６】
2008012001.tif 000018
【図１７】
2008012001.tif 000019
【図１８】
2008012001.tif 000020
【図１９】
2008012001.tif 000021
【図２０】
2008012001.tif 000022
【図２１】
2008012001.tif 000023